(57)【要約】【課題】硬質脆性物を含む被加工材の研削加工又は研磨加工において、加工性、砥粒の分散性及び浮遊ミスト防止性能に優れ、かつ臭気が少ない油剤組成物を提供すること。【解決手段】５％留出温度が２００℃以上、９５％留出温度が３３０℃以下、且つ芳香族分が０．１％以上１５％以下の鉱油系基油を、組成物全量基準で６０質量％以上含有する油剤組成物であって、砥粒を含む分散液の分散媒として用いられる、研削加工又は研磨加工用油剤組成物。【選択図】図１
2014162802.tif 000002
【特許請求の範囲】
【請求項１】
５％留出温度が２００℃以上、９５％留出温度が３３０℃以下、且つ芳香族分が０．１％以上１５％以下の鉱油系基油を、組成物全量基準で６０質量％以上含有し、
砥粒を含む分散液の分散媒として用いられる、研削加工又は研磨加工用油剤組成物。
【請求項２】
重量平均分子量１００００以上の高分子化合物の含有量が、組成物全量基準で１質量％未満である、請求項１に記載の油剤組成物。
【請求項３】
油性剤をさらに含有する、請求項１又は２に記載の油剤組成物。
【請求項４】
基油として合成系芳香族炭化水素油を、組成物全量基準で４０質量％以下含有する、請求項１〜３のいずれか一項に記載の油剤組成物。
【請求項５】
請求項１〜４のいずれか一項に記載の油剤組成物と砥粒とを含有する分散液を、被加工材の加工部位に供給し、研削加工又は研磨加工を行う、研削加工又は研磨加工方法。
【発明の詳細な説明】
【技術分野】
【０００１】
本発明は、硬質で脆性な材料（以下、「硬質脆性物」ともいう。）を含む被加工材の研削加工又は研磨加工に使用される油剤組成物、及びその油剤組成物を用いた研削又は研磨加工方法に関する。特に、ＤＣＣ（Ｄｉａｍｏｎｄ  Ｃｅｍｅｎｔｅｄ  Ｃａｒｂｉｄｅｓ）ブレード（ダイアモンド含有超硬合金）、一般的なガラス、ハードディスク基板用ガラス、単結晶及び多結晶シリコンウェハー、セラミックス、サファイア、ネオジウムなどの硬質脆性物を研削（ラッピング）加工や研磨（ポリッシング）加工する際に使用される油剤組成物に関する。
【背景技術】
【０００２】
研削加工又は研磨加工は、通常は研削盤という加工機械を用いて行い、加工機械には片面ラップ機と両面ラップ機がある。両面ラップ機は上定盤、下定盤、ワーク（被加工物）を固定するキャリアで成り立っている。加工方式としては、定盤にやわらかい素材を使い、流し込んだ砥粒が定盤に刺さった状態で磨きこんでいくハードポリッシュ加工、研磨材と定盤の間に研磨パッドなどを敷いて砥粒の切り込みをより浅く制御するソフトポリッシュ加工、硬い定盤を用いて遊離砥粒を用いた通常のラップ加工などがある。いずれの加工においても、研削中の潤滑、冷却、切り粉の除去などを目的として、研削液あるいは研削油と呼ばれる油剤組成物に研磨材としての砥粒を分散させたスラリー状の液体が用いられる。なお、一般的には、「研削」は粗から中仕上げ工程を、「研磨」は鏡面に近い仕上げ工程をいうことが多いが、それぞれ厳密な定義はないので、本明細書では総称して「研削」ということもある。
【０００３】
従来、ＤＣＣブレード、ガラス、ハードディスク基板用ガラス、サファイア、光学ガラス、単結晶及び多結晶シリコンウェハー、セラミックス、サファイア、ネオジウムなどの硬質脆性物の研削加工又は研磨加工用油剤としては、クーラントと呼ばれる水溶性の油剤（例えば、特許文献１参照）、鉱油系基油にポリマーを配合して砥粒の分散性向上を図った油剤（例えば、特許文献２参照）、鉱油系基油にポリマーを配合して加工時のミスト発生を抑制した油剤（例えば、特許文献３参照）などが使用されている。
【先行技術文献】
【特許文献】
【０００４】
【特許文献１】特開２００７−３１５０２号公報
【特許文献２】特開平７−２４２８６８号公報
【特許文献３】特開平８−２３９６８１号公報
【発明の概要】
【発明が解決しようとする課題】
【０００５】
しかし、上記従来の油剤を用いて硬質脆性物を含む被加工材を研削又は研磨する場合、表面精度、加工精度、加工速度などの加工性の点で必ずしも十分であるとはいえない。
【０００６】
例えば、水溶性の油剤は潤滑性が十分でなく、加工性の点で問題がある。また、鉱油系基油にポリマーを配合したものは、加工時の浮遊ミストの発生を防止できる点では優れるものの、加工時に砥粒の分散性や保持性が低下して、加工部位への砥粒の供給が不十分となり、十分な加工性を得るのが難しい場合がある。また、研削又は研磨加工においては、加工時の昇温により油剤から臭気が発生して作業環境の低下をもたらすという問題がある。
【０００７】
本発明は、このような実情に鑑みてなされたものであり、その目的は、硬質脆性物を含む被加工材の研削加工又は研磨加工において、加工性、砥粒の分散性及び浮遊ミスト防止性能に優れ、かつ臭気が少ない油剤組成物を提供することにある。
【課題を解決するための手段】
【０００８】
本発明者は、上記の目的を達成するため、まず、従来の鉱油系油剤を用いた場合に、砥粒の分散性が不十分となる原因について検討した。その結果、従来の鉱油系油剤においては、浮遊ミストを低減する目的で添加されるポリマー成分が、砥粒の分散性を低下させる原因であることが判明した。
【０００９】
しかし、ポリマー成分を鉱油系油剤に添加しないと、浮遊ミストを防止する効果が得られない。そこで、ポリマー成分を添加することなく、浮遊ミストと防止する方法を検討した結果、鉱油成分のうち低沸点留分が浮遊ミスト発生の原因となっていることが判明した。ただし、単に鉱油成分を重質化させると動粘度が高くなることによって加工性が低下するため、低沸点留分と高沸点留分の両端をカットした所謂ナローカットの鉱油成分が好ましいことを見出した。
【００１０】
さらに、単にナローカットの鉱油成分を用いると、砥粒の分散性が低下し、加工性に劣るが、芳香族成分を含有する鉱油を用いると、砥粒の分散性が良好になることを見出した。加えて、臭気性も考慮して、所定量の芳香族成分を含有する鉱油を用いることで、浮遊ミスト防止性と砥粒の分散性の双方に優れ、且つ加工性にも優れ、臭気の少ない油剤組成物の発明を完成するに至った。
【００１１】
すなわち、本発明は、５％留出温度が２００℃以上、９５％留出温度が３３０℃以下、且つ芳香族分が０．１％以上１５％以下の鉱油系基油を、組成物全量基準で６０質量％以上含有する油剤組成物であって、砥粒を含む分散液の分散媒として用いられる、研削加工又は研磨加工用油剤組成物を提供する。
【００１２】
本発明の油剤組成物においては、重量平均分子量１００００以上の高分子化合物の含有量が、組成物全量基準で１質量％未満であることが好ましい。
【００１３】
本発明の油剤組成物は、油性剤をさらに含有することが好ましい。
【００１４】
本発明の油剤組成物は、基油として合成系芳香族炭化水素油を、組成物全量基準で４０質量％以下含有することが好ましい。
【００１５】
また、本発明は、上記の油剤組成物と砥粒とを含有する分散液を、被加工材の加工部位に供給し、研削加工又は研磨加工を行う、研削加工又は研磨加工方法を提供する。
【発明の効果】
【００１６】
本発明の油剤組成物は、硬質脆性物を含む被加工材の研削加工又は研磨加工において、加工性、砥粒の分散性及び浮遊ミスト防止性能に優れ、かつ臭気が少ないという優れた効果を有する。
【図面の簡単な説明】
【００１７】
【図１】実施例におけるミスト防止性能試験で用いた装置の構成を示す模式図である。
【発明を実施するための形態】
【００１８】
以下、本発明の好適な実施形態について詳細に説明する。
【００１９】
本実施形態に係る油剤組成物は、５％留出温度が２００℃以上、９５％留出温度が３３０℃以下、且つ芳香族分が０．１％以上１５％以下の鉱油系基油を、組成物全量基準で６０質量％以上含有する。
【００２０】
本明細書でいう５％留出温度及び９５％留出温度は、それぞれＪＩＳ  Ｋ２２５４「石油製品−蒸留試験方法」に規定するガスクロマトグラグ法により測定された値をいう。
【００２１】
本明細書でいう芳香族分とは、ＡＳＴＭ  Ｄ３２３８（Ｓｔａｎｄａｒｄ  Ｔｅｓｔ  Ｍｅｔｈｏｄ  ｆｏｒ  Ｃａｌｃｕｌａｔｉｏｎ  ｏｆ  Ｃａｒｂｏｎ  Ｄｉｓｔｒｉｂｕｔｉｏｎ  ａｎｄ  Ｓｔｒｕｃｔｕｒａｌ  Ｇｒｏｕｐ  Ａｎａｌｙｓｉｓ  ｏｆ  Ｐｅｔｒｏｌｅｕｍ  Ｏｉｌｓ  ｂｙ  ｔｈｅ  ｎ−ｄ−Ｍ  Ｍｅｔｈｏｄ）に規定するｎ−ｄ−Ｍ法により測定された値をいう。
【００２２】
基油として用いられる鉱油としては、パラフィン基系原油、中間基系原油又はナフテン基系原油を、常圧蒸留及び減圧蒸留して得られた潤滑油留分に対して、溶剤脱れき、溶剤抽出、水素化分解、溶剤脱ろう、接触脱ろう、水素化精製、硫酸洗浄、白土処理の１種もしくは２種以上の精製手段を適宜組み合わせて適用して得られるパラフィン系又はナフテン系の鉱油のうち、５％留出温度、９５％留出温度及び芳香族分が上記の条件を満たすものが挙げられる。
【００２３】
鉱油系基油の５％留出温度は２００℃以上であるが、ミスト防止性能をより向上させるためには、２１０℃以上であることが好ましく、２２０℃以上であることがより好ましく、２３０℃以上であることがさらに好ましい。また、鉱油系基油の９５％留出温度は３３０℃以下であるが、基油の粘度を適切な範囲とし、加工性をより向上させるためには、３２５℃以下であることが好ましく、３２０℃以下であることが好ましく、３１５℃以下であることがさらに好ましい。
【００２４】
鉱油系基油の芳香族分（％ＣＡ）は０．１％以上１５％以下であるが、０．１％以上１３％以下であることが好ましく、０．１％以上１２％以下であることがより好ましく、０．２％以上１１％以下であることがさらに好ましい。鉱油系基油の芳香族分が、上記の下限値以上であると砥粒の分散性をより向上させることができ、上記の上限値以下であると臭気のより少ない油剤組成物が得られる。
【００２５】
本実施形態に係る油剤組成物は、上記の鉱油を、油剤組成物全量基準で６０質量％以上含有する。さらに、コストなどの観点から、鉱油の含有量は、油剤組成物全量基準で６５質量％以上が好ましく、７０質量％以上がより好ましい。
【００２６】
基油の４０℃における動粘度は特に限定されないが、好ましくは２ｍｍ２／ｓ以上であり、より好ましくは２．５ｍｍ２／ｓであり、さらに好ましくは３ｍｍ２／ｓである。基油の４０℃における動粘度が上記の下限値未満であると、浮遊ミストが極端に増加する場合がある。また、基油の４０℃における動粘度は、好ましくは１０ｍｍ２／ｓ以下であり、より好ましくは８ｍｍ２／ｓ以下であり、さらに好ましくは５ｍｍ２／ｓ以下である。基油の４０℃における動粘度が上記の上限値を超えると、砥粒の分散性が低下し加工性が悪くなる場合がある。
【００２７】
本明細書でいう動粘度とは、ＪＩＳ  Ｋ  ２２８３−２０００「原油および石油製品−動粘度試験方法および粘度指数算出方法」に準拠して測定される動粘度を意味する。
【００２８】
本実施形態に係る油剤組成物は、性能に悪影響を与えない限り高分子化合物を含有してもよい。ただし、砥粒の分散性に悪影響を及ぼすおそれがあるため、高分子化合物の含有量は、油剤組成物全量基準で１質量％未満であることが好ましく、０．７質量％未満であることがより好ましく、０．５質量％未満であることがさらに好ましい。また、重量平均分子量（Ｍｗ）が１０００００以上の高分子化合物の含有量が上記範囲であることが好ましく、Ｍｗが５００００以上の高分子化合物の含有量が上記範囲であることがより好ましく、Ｍｗが１００００以上の高分子化合物の含有量が上記範囲であることがさらに好ましく、Ｍｗが５０００以上の高分子化合物の含有量が上記範囲であることが最も好ましい。
【００２９】
なお、本明細書でいう重量平均分子量は、ゲル浸透クロマトグラフィーにより測定した重量平均分子量を意味する。より具体的には、本明細書でいう重量平均分子量は、ウォーターズ製の１５０−Ｃ  ＡＬＣ／ＧＰＣ装置に東ソー製のＧＭＨＨＲ−Ｍ（７．８ｍｍＩＤ×３０ｃｍ）のカラムを２本直列に使用し、溶媒としてはテトラヒドロフラン、温度２３℃、流速１ｍＬ／分、試料濃度１質量％、試料注入量７５μＬ、検出器示差屈折率計（ＲＩ）で測定したポリスチレン換算の数平均分子量を意味する。
【００３０】
本実施形態に係る油剤組成物は、加工精度をさらに向上させる観点から、油性剤をさらに含有することが好ましい。
【００３１】
油性剤としては、牛脂、豚脂、大豆油、菜種油、米ぬか油、ヤシ油、パーム油、パーム核油などの動植物油及びこれらの水素添加物；脂肪酸及びその塩；アルコール；脂肪酸エステル；不飽和カルボン酸の硫化物；アミノ酸誘導体；ポリオキシアルキレン化合物；アミン；多価アルコールのヒドロカルビルエーテル等が挙げられる。これらの油性剤は１種を単独で用いてもよく、２種以上を組み合わせて用いてもよい。
【００３２】
脂肪酸又はその塩のうち、脂肪酸としては、炭素数６〜２４を有する直鎖又は分枝の脂肪酸が挙げられ、飽和脂肪酸、不飽和脂肪酸又はこれらの混合物であってもよい。
【００３３】
また、脂肪酸の塩としては、アルカリ金属塩、アルカリ土類金属塩、アミン塩などが挙げられる。アルカリ金属としてはナトリウム、カリウム、アルカリ土類金属としてはマグネシウム、カルシウム、バリウムが用いられる。なかでもナトリウム、カリウムが好ましい。アミンとしてはモノアミン、ポリアミン、アルカノールアミン等が挙げられる。これらの中でも、カリウム、ナトリウム、モノアミン及びアルカノールアミン塩が好ましい。また、モノアミンの中でも、アルキルアミン、アルキル基とアルケニル基とを有するモノアミン、アルキル基とシクロアルキル基とを有するモノアミン、及びシクロアルキルアミンがより好ましい。
【００３４】
アルコールは、１価アルコールでも多価アルコールでも、飽和であっても不飽和であっても、これらの混合物であってもよい。加工性及び砥粒の分散性に優れる観点から、炭素数１〜４０の１価アルコールが好ましく、炭素数１〜２５のアルコールがより好ましく、炭素数８〜１８のアルコールがさらに好ましい。
【００３５】
脂肪酸エステルとしては、脂肪酸と１価アルコールとのエステルが好ましい。好ましい脂肪酸エステルとしては、ステアリン酸ブチル、ステアリン酸メチル、パルミチン酸ブチル、パルミチン酸メチル、オレイン酸メチル、ラウリン酸メチル、イソステアリン酸メチル等が挙げられる。
【００３６】
不飽和カルボン酸の硫化物としては、例えばオレイン酸の硫化物を挙げることができる。
【００３７】
アミノ酸誘導体は、下記一般式（１）で表される化合物である。
Ｒ１−ＣＯ−ＮＲ２−（ＣＨ２）ｎ−ＣＯＯＸ        （１）
［式（１）中、Ｒ１は炭素数６〜３０のアルキル基又は炭素数６〜３０のアルケニル基を示し、Ｒ２は炭素数１〜４のアルキル基を示し、Ｘは水素原子、炭素数１〜３０のアルキル基又は炭素数１〜３０のアルケニル基を示し、ｎは１〜４の整数を示す。］
【００３８】
ポリオキシアルキレン化合物としては、例えば下記一般式（２）又は（３）で表される化合物を挙げることができる。
Ｒ３Ｏ−（Ｒ４Ｏ）ｉ−Ｒ５        （２）
［式（２）中、Ｒ３及びＲ５は各々独立に水素原子又は炭素数１〜３０の炭化水素基を表し、Ｒ４は炭素数２〜４のアルキレン基を表し、ｉは一般式（２）で表される化合物の数平均分子量が１００〜３５００となるような整数を表す。］
Ｅ−［（Ｒ６Ｏ）ｊ−Ｒ７］ｋ        （３）
［式（３）中、Ｅは、水酸基を３〜１０個有する多価アルコールの水酸基の水素原子の一部又は全てを取り除いた残基を表し、Ｒ６は炭素数２〜４のアルキレン基を表し、Ｒ７は水素原子又は炭素数１〜３０の炭化水素基を表し、ｊは一般式（３）で表される化合物の数平均分子量が１００〜３５００となるような整数を表し、ｋはＥにおける水酸基から取り除かれた水素原子の個数と同じ数を表す。］
【００３９】
アミンとしては、モノアミンが好ましく使用される。モノアミンの炭素数は、好ましくは６〜２４であり、より好ましくは１２〜２４である。ここでいう炭素数とはモノアミンに含まれる総炭素数の意味であり、モノアミンが２個以上の炭化水素基を有する場合にはその合計炭素数を表す。
【００４０】
多価アルコールのヒドロカルビルエーテルを構成する多価アルコールの例としては、良好な加工性を示す点から、グリセリンが最も好ましい。
【００４１】
油性剤の含有量には特に制限はないが、加工性が優れる点から、油剤組成物全量基準で、好ましくは０．０１質量％以上であり、より好ましくは０．０５質量％以上であり、さらに好ましくは０．１質量％以上である。油性剤の含有量が上記の下限値未満であると、十分な加工精度向上効果が得られない。また、油性剤含有量は、油剤組成物全量基準で、好ましくは１５質量％以下であり、より好ましくは１０質量％以下であり、さらに好ましくは５質量％以下である。油性剤の含有量が上記の上限値を超えると、添加量に見合った効果が得られず、また油性剤の種類によっては引火性が高くなることがある。
【００４２】
本実施形態に係る油剤組成物は、加工精度をさらに向上させる観点から、合成系芳香族炭化水素油をさらに含有することが好ましい。かかる合成系芳香族炭化水素油の好ましい例としては、アルキルベンゼン、アルキルナフタレン、アルキルビフェニル、ジフェニルアルカンなどが挙げられる。
【００４３】
アルキルベンゼンとしては、炭素数１〜１９のアルキル基を１〜４個有し、かつそのアルキル基の合計炭素数が９〜１９であるアルキルベンゼンが好ましく、炭素数１〜１５のアルキル基を１〜４個有し、かつアルキル基の合計炭素数が９〜１５であるアルキルベンゼンがより好ましい。
【００４４】
アルキルベンゼンが有する炭素数１〜１９のアルキル基としては、例えば、メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、エイコシル基等が挙げられる。これらのアルキル基は直鎖状であっても、分枝状であってもよい。
【００４５】
また、アルキルベンゼン中のアルキル基の個数は１〜４個であるが、安定性、入手可能性の点から１個又は２個のアルキル基を有するアルキルベンゼン、すなわちモノアルキルベンゼン、ジアルキルベンゼン、又はこれらの混合物が好ましく用いられ、中でも直鎖のモノアルキルベンゼンが最も好ましく用いられる。
【００４６】
アルキルベンゼンの４０℃における動粘度は、特に限定されないが、好ましくは３〜１００ｍｍ２／ｓであり、より好ましくは４〜８０ｍｍ２／ｓであり、さらに好ましくは５〜７０ｍｍ２／ｓである。
【００４７】
また、アルキルナフタレンとしては、下記一般式（４）で表される化合物が好ましく用いられる。
【００４８】
【化１】
2014162802.tif 000003
【００４９】
上記一般式（４）中のＲ８、Ｒ９、Ｒ１０及びＲ１１は、同一でも異なっていてもよく、それぞれ水素原子又は炭素数１〜４０、好ましくは１〜３０の炭化水素基を示している。また、Ｒ８、Ｒ９、Ｒ１０及びＲ１１の合計炭素数が１〜４０である。ここでいう炭化水素基としては、アルキル基、アルケニル基、アリール基、アルカリール基、アラルキル基等が挙げられる。
【００５０】
また、アルキルビフェニルとしては、下記一般式（５）で表される化合物が好ましく用いられる。
【００５１】
【化２】
2014162802.tif 000004
【００５２】
上記一般式（５）中のＲ１２、Ｒ１３、Ｒ１４及びＲ１５は、同一でも異なっていてもよく、それぞれ水素原子又は炭素数１〜４０、好ましくは１〜３０の炭化水素基を示している。また、Ｒ１２、Ｒ１３、Ｒ１４及びＲ１５の合計炭素数が１〜４０である。ここでいう炭化水素基としては、アルキル基、アルケニル基、アリール基、アルカリール基、アラルキル基等が挙げられる。
【００５３】
また、ジフェニルアルカンとしては、下記一般式（６）で表される化合物が好ましく用いられる。
【００５４】
【化３】
2014162802.tif 000005
【００５５】
上記一般式（６）中、Ｒ１６は炭素数１〜４０のアルキレン基又はアルケニレン基を示し、Ｒ１７、Ｒ１８、Ｒ１９及びＲ２０は同一でも異なっていてもよく、それぞれ水素原子又は炭素数１〜４０のアルキル基を示す。
【００５６】
合成系芳香族炭化水素油の含有量は特に制限されないが、加工性をより向上させるためには、油剤組成物全量基準で１質量％以上であることが好ましく、３質量％以上であることがより好ましく、５質量％以上であることがさらに好ましい。また、臭気のより少ない油剤組成物を得るためには、合成系芳香族炭化水素油の含有量は、油剤組成物全量基準で４０質量％以下であることが好ましく、３５質量％以下であることがより好ましく、３０質量％以下であることがさらに好ましい。
【００５７】
また、本実施形態に係る油剤組成物は、基油として、その性能を損なわない範囲で、ポリ−αオレフィン、ポリオールエステル、ポリエステル、ポリオキシアルキレングリコール等の合成油をさらに含有してもよい。
【００５８】
また、本実施形態に係る油剤組成物は、上記した以外の公知の潤滑油用添加剤を含有することができる。かかる添加剤としては、例えば、フェノール系、アミン系、有機金属化合物系及び硫黄系等の酸化防止剤；ポリサルファイド、硫化オレフィン、硫化エステル、硫化鉱油、ジチオリン酸亜鉛化合物、ジチオカルバミン酸亜鉛化合物、ジチオリン酸モリブデン化合物及びジチオカルバミン酸モリブデン等の硫黄系極圧剤；リン酸エステル、酸性リン酸エステル、酸性リン酸エステルのアミン塩、塩素化リン酸エステル、亜リン酸エステル及びフォスフォロチオネート等のリン系極圧剤；ベンゾトリアゾール、チアジアゾール等の金属不活性化剤；メチルシリコーン、フルオロシリコーン、ポリアクリレート等の消泡剤；アルケニルコハク酸イミド、ベンジルアミン、ポリアルケニルアミンアミノアミド等の無灰分散剤；ジエチレングリコールモノアルキルエーテル等の湿潤剤；アクリルポリマー、パラフィンワックス、マイクロワックス、スラックワックス、ポリオレフィンワックス等の造膜剤；脂肪酸アミン塩等の水置換剤；グラファイト、フッ化黒鉛、二硫化モリブデン、窒化ホウ素、ポリエチレン粉末等の固体潤滑剤；アミン、アルカノールアミン、アミド、カルボン酸、カルボン酸塩、スルホン酸塩、リン酸、リン酸塩、多価アルコールの部分エステル等の腐食防止剤等が挙げられる。
【００５９】
本実施形態に係る油剤組成物は、ＤＣＣブレード、一般的なガラス、ハードディスク基板用ガラス、光学ガラス、単結晶及び多結晶シリコンウェハー、セラミックス、サファイア、ネオジウムなどの硬質脆性物を含む被加工材を研削加工又は研磨加工する際に用いる、砥粒を含む分散液の分散媒として使用することができる。特に、ＤＣＣブレードを含む被加工材を研削加工又は研磨加工する際に用いる、砥粒を含む分散液の分散媒として好適に使用することができる。
【００６０】
硬質脆性物の研削加工又は研磨加工の際に用いる砥粒としては、酸化セリウム、ダイアモンド、ＣＢＮ（六方晶窒化ホウ素）、酸化アルミナ、ＧＣ（緑色炭化珪素）などが挙げられる。
【実施例】
【００６１】
以下、実施例及び比較例に基づき本発明をさらに具体的に説明するが、本発明は以下の実施例に何ら限定されるものではない。
【００６２】
［実施例１〜１３、比較例１〜１１］
実施例１〜１３及び比較例１〜１１においては、それぞれ以下の成分を用いて、表１〜４に示す組成を有する油剤組成物を調製した。
（基油）
Ａ１：鉱油系水素化精製油（４０℃における動粘度２．４ｍｍ２／ｓ；芳香族分（％ＣＡ）０．２％）
Ａ２：鉱油系水素化精製油（４０℃における動粘度４．０ｍｍ２／ｓ；芳香族分（％ＣＡ）０．３％）
Ａ３：鉱油系水素化精製油（４０℃における動粘度４．５ｍｍ２／ｓ；芳香族分（％ＣＡ）９．９％）
Ａ４：鉱油系水素化精製油（４０℃における動粘度４．６ｍｍ２／ｓ；芳香族分（％ＣＡ）１２．１％）
Ａ５：鉱油系水素化精製油（４０℃における動粘度６．５ｍｍ２／ｓ；芳香族分（％ＣＡ）２％）
Ａ６：鉱油系水素化精製油（４０℃における動粘度１．２ｍｍ２／ｓ；芳香族分（％ＣＡ）１８％）
Ａ７：合成アルキルベンゼン（４０℃における動粘度４．２ｍｍ２／ｓ；芳香族分（％ＣＡ）９８％）
（油性剤）
Ｂ１：大豆油
Ｂ２：豚脂
（ポリマー）
Ｃ１：ポリイソブチレン（重量平均分子量（ＭＷ）４９００００）
Ｃ２：ポリイソブチレン（重量平均分子量（ＭＷ）１５４０００）
【００６３】
（ミスト防止性能試験）
実施例１〜１３及び比較例１〜１１の油剤組成物について、以下のミスト防止性能試験を行った。結果を表１〜４に示す。
【００６４】
図１は、ミスト防止性能試験で用いた装置の構成を示す模式図である。試験に際しては、ＴＡＣＯ社製「ミクロンルブ」を改造したミスト発生機１を用いて、０．７ＭＰａの吐出圧にて強制的にミストを発生させる。ここで発生するミストには粒径の小さいストレーミストや、粒径が比較的大きくストレーミストとならないミストも含まれるが、粒径が比較的大きく自然沈降するミストを第１の捕集瓶２で捕集する。比較的大きな粒径が排除されたミストはミストボックス５に向け配管４内を通るが、この際、配管４内で凝集したミストは配管４を流れ落ち、第２の捕集瓶３に捕集される。ミストボックス５に到達したミストはミストボックス５内の板に当たり、そこで凝集したミストはミストボックス５内に溜まる。そして、粒径の非常に小さいミストが、最終的にダクト６から排出される。この粒径の非常に小さいミストをストレーミスト７とし、ストレーミスト７の１時間当たりの発生量をストレーミスト量（ｇ）として測定した。
【００６５】
（砥粒分散性試験）
実施例１〜１３及び比較例１〜１１の油剤組成物について、以下の砥粒分散性試験を行った。結果を表１〜４に示す。
【００６６】
油剤組成物１００ｇと粒度＃８００の炭化珪素砥粒（シンエツ製シナノランダムＧＰ）２５ｇとを２００ｍＬのビーカにとり、これを６００ｒｐｍ、２０分の条件で、攪拌し砥粒濃度２０質量％の砥粒分散液を調製した。攪拌終了後この砥粒分散液１００ｍＬをすばやく１００ｍＬメスシリンダーに採取して、２０℃の恒温層内に静置してから砥粒が沈降するまでに経過した時間により、以下のように評価した。
３０分以上：Ａ
１０分以上、３０分未満：Ｂ
５分以上、１０分未満：Ｃ
５分未満又は分散しない：Ｄ
【００６７】
（加工性試験）
実施例１〜１３及び比較例１〜１１の油剤組成物について、以下の砥粒分散性試験を行った。結果を表１〜４に示す。
【００６８】
加工性試験は、丸本工業製自動研磨機を用いて行った。被加工材としては、窒化ケイ素製の円板（直径３ｃｍ、厚さ５ｍｍ）を用いた。加工は、下から、下定盤、加工用パッド、被加工材、上定盤の順に重ねて上下定盤で挟み、上定盤から所定の圧力で押し付け、上下定盤を互いに逆方向に所定速度で回転（１００ｒｐｍ）させながら、被加工材と加工用パッドの間に、上記砥粒分散性試験と同様にして調製した砥粒分散液を所定量供給して被加工材の下面を約１００μｍ研磨し平坦化加工した。
【００６９】
加工性は、正常に所定量の研磨加工ができた被加工材の枚数で評価した。すなわち、１枚目の被加工材が３０分以内で約１００μｍ研磨加工ができたら被加工材のみを交換して、１枚目と同様に２枚目の研磨加工を行う。同様に、３枚目、４枚目と加工を続けて行うが、被加工材が割れるか、あるいは３０分以内に約１００μｍ研磨加工ができなきなった場合に試験終了とし、研磨加工できた被加工材の枚数により、以下のように評価した。
１７枚以上：Ａ
１５枚以上１６枚以下：Ｂ
１２枚以上１４枚以下：Ｃ
９枚以上１１枚以下：Ｄ
８枚以下：Ｅ
【００７０】
（臭気の評価）
実施例１〜１３及び比較例１〜１１の油剤組成物について、以下のように臭気の評価を行った。結果を表１〜４に示す。
【００７１】
３００ｍＬビーカに油性剤組成物を５０ｇ取り、３０℃になるまで加温した。続いて、１０人の被験者がそれぞれ、「臭気が気になる」を３点、「臭気がやや気になる」を２点、「臭気がほとんど気にならない」を１点、「臭気が気にならない」を０点として、上記の油性剤組成物の臭気を判定した。１０人分の平均点により、以下のように評価した。
１点未満：Ａ
１点以上２点未満：Ｂ
２点以上３点未満：Ｃ
３点：Ｄ
【００７２】
【表１】
2014162802.tif 000006
【００７３】
【表２】
2014162802.tif 000007
【００７４】
【表３】
2014162802.tif 000008
【００７５】
【表４】
2014162802.tif 000009
【符号の説明】
【００７６】
１…ミスト発生機、２…第１の捕集瓶、３…第２の捕集瓶、４…配管、５…ミストボックス、６…ダクト、７…ストレーミスト。
【図１】
2014162802.tif 000010